(57)【特許請求の範囲】
【請求項１】
文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、
通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、
特殊読取モードに設定されている場合には、通常設定手段の設定操作による通常読取モードの選択を不可とする制御手段とを備えた画像読取装置。
【請求項２】
文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、
通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、
特殊読取モードに設定されている場合には、特殊読取モードを維持したまま通常設定手段の設定操作による通常読取モードの選択のうち、読取密度モードの選択を可能とし、通常原稿種類モードの選択を不可とする制御手段とを備えた画像読取装置。
【請求項３】
文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、
通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、
特殊読取モードに設定されている場合に通常設定手段が操作されたときには、特殊読取モードから通常読取モードに切り替え、通常読取モードに設定されている場合に特殊設定手段が操作されたときには、通常読取モードから特殊読取モードに切り替える制御手段とを備えた画像読取装置。
【発明の詳細な説明】
【０００１】
【発明の属する技術分野】
本発明は、複写機能付きファクシミリ装置（以下、複合機という）等の画像読取装置に関し、より詳しくは、新聞又は車検証等の地色又は地模様のある特殊原稿や淡い鉛筆書きの特殊原稿の読み取りに適した特殊読取モードを備えた画像読取装置に関するものである。
【０００２】
【従来の技術】
従来より、複合機は、種々の原稿を適切に読み取るために、ＦＡＸモードにおいて「標準モード」、「高画質モード」、「超高画質モード」、「写真モード」の通常読取モードを備えている。また、複合機は、コピーモードにおいて「文字モード」、「文字／写真モード」、「写真モード」の通常読取モードを備えている。
【０００３】
ところで、近年においては、さらに多様な原稿に対応するために、上記のような通常読取モードに加えて、「新聞又は車検証モード」、「鉛筆モード」の特殊読取モードを備えた複合機がある。
【０００４】
そして、この特殊読取モードを備えた複合機では、ＦＡＸモードの通常時には、「標準モード」に設定されている旨を示す「標準」を表示部に表示している。そして、この状態からソフトキーが１回操作される度に、各読取モードに設定されている旨を示す「高画質」、「超高画質」、「写真」、「新聞又は車検証」、「鉛筆」を順次表示部に表示する。一方、コピーモードにおいては、各読取モードに設定されている旨を示す「文字」、「文字／写真」、「写真」、「新聞又は車検証」、「鉛筆」を順次表示部に表示する。即ち、通常読取モードは、特殊読取モードよりも使用頻度が高いことから、優先的に表示している。
【０００５】
その結果、原稿に応じていずれかの読取モードに設定されると、その設定された読取モードで原稿を読み取って、その読み取った原稿の画データをＦＡＸ送信又はコピーすることができる。
【０００６】
【発明が解決しようとする課題】
しかしながら、このような従来の複合機は、通常読取モードに設定する第１キーと、特殊読取モードに設定する第２キーとを互いに独立して設けず、単一のソフトキーの設定操作のみによって、通常読取モード及び特殊読取モードを含む全ての読取モードの中から所定の読取モードを選択する構成である。このため、使用頻度が高い通常読取モードを選択する場合には、通常読取モードに加えて特殊読取モードも選択対象となる結果、読取モードの選択肢が多くなり、全ての読取モードの中から原稿に適した読取モードを選択する操作が煩わしく、原稿に適していない読取モードを選択する可能性もあった。一方、使用頻度が低い特殊読取モードを選択する場合には、使用頻度が低いとはいえ、特殊読取モードを選択するまで何度もソフトキーを操作する必要があり、使用者に対して煩雑なキー操作を強いらせていた。
【０００７】
そこで、通常読取モードに設定する第１キーと、特殊読取モードに設定する第２キーとを互いに独立して設け、第１キー又は第２キーの設定操作によって、通常読取モード及び特殊読取モードを含む全ての読取モードの中から所定の読取モードを選択する構成が考えられる。
【０００８】
しかし、このような構成の場合には、読取モードの選択肢が少なくなるため、上記のような操作の煩雑化及び誤操作の可能性が低減されるものの、新たに次のような不具合が発生する。即ち、第２キーを操作して特殊読取モードを選択した後、誤って第１キーを操作すると、使用者の意志に反して特殊読取モードが解除されてしまう。
【０００９】
本発明は、このような問題点に着目してなされたものであって、その目的は、誤操作による不具合を防止することが可能な画像読取装置を提供することにある。また、他の目的は、使用者の意志を確実に反映させることが可能な画像読取装置を提供することにある。さらに、他の目的は、読取モードの設定の操作性を向上させることが可能な画像読取装置を提供することにある。
【００１０】
【課題を解決するための手段】
上記の目的を達成するために、請求項１に記載の発明では、文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、特殊読取モードに設定されている場合には、通常設定手段の設定操作による通常読取モードの選択を不可とする制御手段とを備えた。
【００１１】
請求項２に記載の発明では、文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、特殊読取モードに設定されている場合には、特殊読取モードを維持したまま通常設定手段の設定操作による通常読取モードの選択のうち、読取密度モードの選択を可能とし、通常原稿種類モードの選択を不可とする制御手段とを備えた。
【００１２】
請求項３に記載の発明では、文字原稿の読み取りに適しており、かつ文字の大きさ毎にそれぞれ適した複数の読取密度モードと、文字原稿とは異なる種類の原稿の読み取りに適した少なくとも１つの通常原稿種類モードとを含む通常読取モードの中から所定の通常読取モードに設定する通常設定手段と、通常読取モードでの読み取りに適した原稿とは異なる種類の特殊原稿の読み取りに適した少なくとも１つの特殊原稿種類モードを含む特殊読取モードの中から所定の特殊読取モードに設定する特殊設定手段と、特殊読取モードに設定されている場合に通常設定手段が操作されたときには、特殊読取モードから通常読取モードに切り替え、通常読取モードに設定されている場合に特殊設定手段が操作されたときには、通常読取モードから特殊読取モードに切り替える制御手段とを備えた。
【００１３】
【発明の実施の形態】
（第１実施形態）
以下に、本発明に係る画像読取装置を複合機に具体化した第１実施形態について図面を用いて説明する。
【００１４】
図１に示すように、複合機１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０及び鳴動部１２０から構成され、各部１０〜１２０がバス１３０を介してそれぞれ接続されている。
【００１５】
ＭＰＵ１０は、複合機１を構成する各部を制御する。ＲＯＭ２０は、複合機１を制御するためのプログラムを記憶する。ＲＡＭ３０は、複合機１に関する各種情報を一時的に記憶する。
【００１６】
読取部４０は、原稿上の画像を読み取って、読み取り後の画データに対して読取モードに応じた画像処理を施し、その画像処理後の画データをコーデック９０に出力する。記録部５０は、電子写真方式のプリンタから構成され、ＦＡＸ動作において受信した画データ、コピー動作において読取部４０で読み取った原稿の画データを記録紙上に記録する。
【００１７】
図１及び図２に示すように、操作部６０は、複合機１を動作させるための各種キーを備えている。ＦＡＸキー６１はＦＡＸモードに、コピーキー６２はコピーモードにそれぞれ設定するためのキーである。短縮／電話帳キー６３は、予め登録した相手先の電話番号（ＦＡＸ番号を含む）を短縮番号で指定するためのキーであるとともに、予め登録した相手先を電話帳で検索して相手先の電話番号を指定するためのキーである。ワンタッチキー６４は、予め登録した相手先の電話番号をワンタッチで指定するためのキーである。テンキー（＊，＃キーを含む）６５は、電話番号やコピー部数等を入力するためのキーである。スタートキー６６は、原稿の読み取り動作を開始させるためのキーである。
【００１８】
ソフトキー６７は、ＦＡＸモードにおいて「標準モード」、「高画質モード」、「超高画質モード」、「写真モード」のいずれかの通常読取モードに設定するためのキーである。ここで、「標準モード」とは、普通の大きさの文字の原稿の読み取りに適した読取モードである。「高画質モード」とは、小さな文字の原稿の読み取りに適した読取モードである。「超高画質モード」とは、精密なイラスト又は辞書のような細かい文字の原稿の読み取りに適した読取モードである。「写真モード」とは、写真又は絵の原稿の読み取りに適した読取モードである。そして、ＦＡＸモードの通常時には、図３（ａ）に示すように、「標準モード」に設定されている旨を示す「標準」をＬＣＤ７１に表示している。そして、この状態からソフトキー６７が１回操作される度に、図３（ｂ）〜（ｄ）に示すように、各読取モードに設定されている旨を示す「高画質」、「超高画質」、「写真」を順次ＬＣＤ７１に表示する。即ち、「標準モード」、「高画質モード」、「超高画質モード」は、いずれも読取密度（画質）モードに相当する。一方、「写真モード」は、通常原稿種類モードに相当する。
【００１９】
また、ソフトキー６７は、コピーモードにおいて「文字モード」、「文字／写真モード」、「写真モード」のいずれかの通常読取モードに設定するためのキーである。ここで、「文字モード」とは、文字のみの原稿の読み取りに適した読取モードである。「文字／写真モード」とは、文字と写真又は絵とが混在する原稿の読み取りに適した読取モードである。そして、コピーモードの通常時には、図４（ａ）に示すように、「文字モード」に設定されている旨を示す「文字」をＬＣＤ７１に表示している。そして、この状態からソフトキー６７が１回操作される度に、図４（ｂ），（ｃ）に示すように、各読取モードに設定されている旨を示す「文字／写真」、「写真」を順次ＬＣＤ７１に表示する。尚、コピーモードにおいては、一般的に「超高画質モード」で読取部４０に原稿を読み取らせるため、ＦＡＸモードとは異なり、「標準モード」、「高画質モード」の設定はない。従って、コピーモードにおける「文字モード」は、ＦＡＸモードにおける「超高画質モード」に相当する。そして、「文字／写真モード」、「写真モード」は、いずれも通常原稿種類モードに相当する。
【００２０】
勿論、コピーモードにおいて、「標準モード」、「高画質モード」に設定できる構成としてもよい。また、ＦＡＸモードにおいて、「文字／写真モード」に設定できる構成としてもよい。
【００２１】
図１及び図２に示す新聞／車検証キー６８は、「新聞又は車検証モード」の特殊読取モードに設定するためのキーである。鉛筆キー６９は、「鉛筆モード」の特殊読取モードに設定するためのキーである。ここで、「新聞又は車検証モード」とは、新聞又は車検証等の地色又は地模様のある特殊原稿の読み取りに適した読取モードである。「鉛筆モード」とは、淡い鉛筆書きの特殊原稿の読み取りに適した読取モードである。これら「新聞又は車検証モード」、「鉛筆モード」は、いずれも特殊原稿種類モードに相当する。そして、一方の特殊読取モードに設定されている場合に、他方の特殊読取モードに対応する新聞／車検証キー６８又は鉛筆キー６９が操作されると、一方の特殊読取モードは解除され、他方の特殊読取モードに設定される。また、いずれかの特殊読取モードに設定されている場合に、対応する新聞／車検証キー６８又は鉛筆キー６９が操作されると（２回目の操作）、かかる特殊読取モードは解除される。そして、いずれの特殊読取モードにも設定されていない場合には、ソフトキー６７の設定操作による通常読取モードの選択が可能である。
【００２２】
尚、説明の便宜上、以下の説明において、ソフトキー６７を第１キー、新聞／車検証キー６８又は鉛筆キー６９を第２キーということがある。即ち、第１キーは通常設定手段に相当し、第２キーは特殊設定手段に相当する。
【００２３】
表示部７０は、ＬＣＤ７１、第１ＬＥＤ７２、第２ＬＥＤ７３を備えている。ＬＣＤ７１は、複合機１の動作状態等の各種情報の表示を行う。第１ＬＥＤ７２は、「新聞又は車検証モード」に設定されている場合には点灯し、「新聞又は車検証モード」に設定されていない場合には消灯する。第２ＬＥＤ７３は、「鉛筆モード」に設定されている場合には点灯し、「鉛筆モード」に設定されていない場合には消灯する。
【００２４】
図１に示す画像メモリ８０は、読取部４０で読み取られてコーデック９０で符号化された画データや、受信画データを一時的に記憶する。コーデック９０は、読取部４０から入力された画データをＭＨ，ＭＲ，ＭＭＲ，ＪＢＩＧ方式等に従って符号化（エンコード）する。また、コーデック９０は、画像メモリ８０から読み出された画データを復号（デコード）する。
【００２５】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送信データの変調及び受信データの復調を行う。ＮＣＵ１１０は、電話回線Ｌを閉結及び開放するとともに、相手先の電話番号に対応したダイヤル信号を送出する機能及び着信を検出する機能を備えている。
【００２６】
鳴動部１２０は、ソフトキー６７の設定操作による通常読取モードの選択が不可である旨のナック音を鳴動する。
次に、複合機１において、特殊読取モードでＦＡＸ送信の特殊原稿を読み取る場合の動作について、図５に示すフローチャートを用いて説明する。尚、この動作は、ＲＯＭ２０に記憶されたプログラムに基づき、ＭＰＵ１０の制御により実行される（以下、複合機１の動作について同じ）。
【００２７】
まず、図３（ａ）に示すように、「標準モード」に設定されている旨を示す「標準」をＬＣＤ７１に表示させている状態から新聞／車検証キー６８又は鉛筆キー６９、つまり第２キーが操作された場合の動作を説明する。
【００２８】
さて、ＦＡＸキー６１の操作によりＦＡＸモードに設定されると、図３（ａ）に示すように、「標準モード」に設定されている旨を示す「標準」をＬＣＤ７１に表示させる。そして、この状態から第２キーが操作されると、対応する第１ＬＥＤ７２又は第２ＬＥＤ７３を点灯させる（Ｓ１）。即ち、新聞／車検証キー６８が操作された場合には、第１ＬＥＤ７２を点灯させて「新聞又は車検証モード」に設定されている旨を報知する。一方、鉛筆キー６９が操作された場合には、第２ＬＥＤ７３を点灯させて「鉛筆モード」に設定されている旨を報知する。そして、スタートキー６６が操作されると（Ｓ２でＹＥＳ）、「新聞又は車検証モード」又は「鉛筆モード」と「標準モード」との両方が設定された読取モードで読取部４０に特殊原稿を読み取らせる（Ｓ３）。
【００２９】
一方、特殊読取モードに設定されている場合に、いずれかの通常読取モードに設定するソフトキー６７、つまり第１キーが操作されると（Ｓ４でＹＥＳ）、第１キーの設定操作による通常読取モードの選択が不可である旨のナック音を鳴動部１２０に鳴動させる（Ｓ５）。即ち、第２キーを操作して特殊読取モードを選択した後、誤って第１キーを操作しても、使用者の意志に反して特殊読取モードが解除されてしまうことはない。
【００３０】
ちなみに、「新聞又は車検証モード」では、地色又は地模様を取り除く背景補正処理が施される。一方、「鉛筆モード」では、淡い鉛筆書きの画像と地色とのコントラストを増加させるエッジ強調処理が施される。他方、「写真モード」では、多階調の濃淡を白黒の２値のみで疑似表示する誤差拡散処理又はディザ処理が施される。換言すれば、「新聞又は車検証モード」又は「鉛筆モード」では、読み取り後の画データを原稿の画データと積極的に異ならせる画像処理が施される。一方、「写真モード」では、読み取り後の画データを原稿の画データとほぼ同一にする画像処理が施される。つまり、「新聞又は車検証モード」又は「鉛筆モード」と「写真モード」とでは相反する画像処理が施される。このため、「新聞又は車検証モード」又は「鉛筆モード」と「写真モード」との両方が設定されると、画像処理後の画データに不具合が生じる。そこで、「新聞又は車検証モード」又は「鉛筆モード」と「写真モード」との両方が設定されないようにするためにも、特殊読取モードに設定されている場合には、第１キーの設定操作による通常読取モードの選択を不可としている。
【００３１】
次に、複合機１において、図３（ｂ）〜（ｄ）に示すように、各読取モードに設定されている旨を示す「高画質」、「超高画質」、「写真」のいずれかをＬＣＤ７１に表示させている状態から特殊読取モードでＦＡＸ送信の特殊原稿を読み取る場合の動作について、図５に示すフローチャートを用いて説明する。
【００３２】
さて、かかる状態から第２キーが操作されると、対応する第１ＬＥＤ７２又は第２ＬＥＤ７３を点灯させる（Ｓ１）。そして、「標準モード」に設定されている旨を示す「標準」をＬＣＤ７１に表示させる。換言すれば、「高画質モード」、「超高画質モード」、「写真モード」のいずれかに設定されている場合に第２キーが操作されたときには、強制的に「標準モード」と「新聞又は車検証モード」又は「鉛筆モード」との両方が設定された読取モードに移行する。即ち、第２キーの操作を優先的に有効にしている。
【００３３】
ちなみに、「高画質モード」又は「超高画質モード」を維持したまま特殊読取モードで読取部４０に特殊原稿を読み取らせた場合には、「標準モード」に変更して特殊読取モードで読取部４０に特殊原稿を読み取らせた場合と比較して、読取時間が長く、画データ量も多くなる結果、通信料金も高くなる。一方、「写真モード」を維持したまま特殊読取モードで読取部４０に特殊原稿を読み取らせた場合には、上記したように相反する画像処理が施されるため、画像処理後の画データに不具合が生じる。そこで、これらの不具合を防止するために「高画質モード」、「超高画質モード」、「写真モード」のいずれかに設定されている場合に第２キーが操作されたときには、強制的に「標準モード」と「新聞又は車検証モード」又は「鉛筆モード」との両方が設定された読取モードに移行している。その後、スタートキー６６が操作されると（Ｓ２でＹＥＳ）、「標準モード」と「新聞又は車検証モード」又は「鉛筆モード」との両方が設定された読取モードで読取部４０に特殊原稿を読み取らせる（Ｓ３）。
【００３４】
勿論、「写真モード」に設定されている場合に第２キーが操作されたときにのみ、強制的に「標準モード」と「新聞又は車検証モード」又は「鉛筆モード」との両方が設定された読取モードに移行する構成としてもよい。これらのように構成すれば、少なくとも相反する画像処理が施されないため、特殊原稿に応じた良好な画データを得ることができる。また、読取時間が短く、画データ量も少なくなる結果、通信料金を安くすることができる。
【００３５】
次に、複合機１において、特殊読取モードでコピーの特殊原稿を読み取る場合の動作について、図５に示すフローチャートを用いて説明する。
まず、図４（ａ）に示すように、「文字モード」に設定されている旨を示す「文字」をＬＣＤ７１に表示させている状態から第２キーが操作された場合の動作を説明する。
【００３６】
さて、コピーキー６２の操作によりコピーモードに設定されると、図４（ａ）に示すように、「文字モード」に設定されている旨を示す「文字」をＬＣＤ７１に表示させる。そして、この状態から第２キーが操作されると、対応する第１ＬＥＤ７２又は第２ＬＥＤ７３を点灯させる（Ｓ１）。そして、スタートキー６６が操作されると（Ｓ２でＹＥＳ）、「新聞又は車検証モード」又は「鉛筆モード」と「文字モード」との両方が設定された読取モードで読取部４０に特殊原稿を読み取らせる（Ｓ３）。
【００３７】
一方、特殊読取モードに設定されている場合に第１キーが操作されると（Ｓ４でＹＥＳ）、第１キーの設定操作による通常読取モードの選択が不可である旨のナック音を鳴動部１２０に鳴動させる（Ｓ５）。即ち、第２キーを操作して特殊読取モードを選択した後、誤って第１キーを操作しても、使用者の意志に反して特殊読取モードが解除されてしまうことはない。ちなみに、「新聞又は車検証モード」又は「鉛筆モード」と「文字／写真モード」又は「写真モード」とでは相反する画像処理が施される。このため、「新聞又は車検証モード」又は「鉛筆モード」と「文字／写真モード」又は「写真モード」との両方が設定されると、画像処理後の画データに不具合が生じる。そこで、「新聞又は車検証モード」又は「鉛筆モード」と「文字／写真モード」又は「写真モード」との両方が設定されないようにするためにも、特殊読取モードに設定されている場合には、第１キーの設定操作による通常読取モードの選択を不可としている。
【００３８】
次に、複合機１において、図４（ｂ），（ｃ）に示すように、各読取モードに設定されている旨を示す「文字／写真」、「写真」のいずれかをＬＣＤ７１に表示させている状態から特殊読取モードでコピーの特殊原稿を読み取る場合の動作について、図５に示すフローチャートを用いて説明する。
【００３９】
さて、かかる状態から第２キーが操作されると、対応する第１ＬＥＤ７２又は第２ＬＥＤ７３を点灯させる（Ｓ１）。そして、「文字モード」に設定されている旨を示す「文字」をＬＣＤ７１に表示させる。換言すれば、「文字／写真モード」又は「写真モード」に設定されている場合に第２キーが操作されたときには、強制的に「文字モード」と「新聞又は車検証モード」又は「鉛筆モード」との両方が設定された読取モードに移行する。即ち、第２キーの操作を優先的に有効にしている。
【００４０】
ちなみに、「文字／写真モード」又は「写真モード」を維持したまま特殊読取モードで読取部４０に特殊原稿を読み取らせた場合には、上記したように相反する画像処理が施されるため、画像処理後の画データに不具合が生じる。そこで、このような不具合を防止するために「文字／写真モード」又は「写真モード」に設定されている場合に第２キーが操作されたときには、強制的に「文字モード」と「新聞又は車検証モード」又は「鉛筆モード」との両方が設定された読取モードに移行している。その後、スタートキー６６が操作されると（Ｓ２でＹＥＳ）、「文字モード」と「新聞又は車検証モード」又は「鉛筆モード」との両方が設定された読取モードで読取部４０に特殊原稿を読み取らせる（Ｓ３）。従って、相反する画像処理が施されないため、特殊原稿に応じた良好な画データを得ることができる。
【００４１】
以上、詳述したように第１実施形態によれば、次のような作用、効果を得ることができる。
（１）「新聞又は車検証モード」又は「鉛筆モード」の特殊読取モードに設定されている場合には、ソフトキー６７（第１キー）の設定操作による通常読取モードの選択を不可としている。このため、新聞／車検証キー６８又は鉛筆キー６９（第２キー）を操作して特殊読取モードを選択した後、誤って第１キーを操作しても、使用者の意志に反して特殊読取モードが解除されてしまうことはなく、特殊読取モードが維持される。しかも、相反する画像処理が施されることもない。従って、誤操作による不具合を防止することができる。
【００４２】
（２）使用頻度が高い通常読取モードを選択する場合には、特殊読取モードに設定されていない状態から第１キーを操作すればよい。しかも、特殊読取モードは選択対象から除外されている結果、読取モードの選択肢は少なくなり、原稿に適した読取モードを選択する操作が非常に簡便で、原稿に適していない特殊読取モードを選択する可能性もない。従って、読取モードの設定の操作性を向上させることができる。
【００４３】
（３）使用頻度が低い特殊読取モードを選択する場合には、第２キーを操作するだけでよい。しかも、いずれかの通常読取モードに設定されている場合に第２キーを操作すると、その第２キーの操作を優先的に有効にしている。従って、通常読取モードよりも使用頻度は低いものの、特殊読取モードで特殊原稿を読み取ってＦＡＸ送信又はコピーする場合には、第２キーの操作が優先される故に非常に簡便である。このようなことからも読取モードの設定、特に特殊読取モードの設定の操作性を向上させることができる。
【００４４】
（第２実施形態）
次に、本発明の第２実施形態を説明する。尚、この第２実施形態が前記第１実施形態と主に異なるのは、特殊読取モードに設定されている場合には、特殊読取モードを維持したまま第１キーの設定操作による通常読取モードの選択のうち、読取密度モードの選択が可能であり、通常原稿種類モードの選択が不可である点である。即ち、小さな文字の特殊原稿をＦＡＸ送信する場合のように、「新聞又は車検証モード」又は「鉛筆モード」と「高画質モード」又は「超高画質モード」との両方が設定される場合を考慮している。ただし、「新聞又は車検証モード」又は「鉛筆モード」と「写真モード」との両方が設定されることはない。
【００４５】
次に、複合機１において、特殊読取モードでＦＡＸ送信の特殊原稿を読み取る場合の動作について、図６に示すフローチャートを用いて説明する。
さて、Ｓ１１〜Ｓ１３では、図５に示すＳ１〜Ｓ３と同様の処理を実行する。
【００４６】
そして、特殊読取モードに設定されている場合に第１キーが操作されると（Ｓ１４でＹＥＳ）、特殊読取モードを維持したまま通常読取モードを変更する（Ｓ１５）。具体的には、図３（ａ）に示すように、「標準モード」に設定されている旨を示す「標準」をＬＣＤ７１に表示させている状態から第１キーが１回操作される度に、図３（ｂ），（ｃ）に示すように、各読取モードに設定されている旨を示す「高画質」、「超高画質」を順次ＬＣＤ７１に表示させる。ただし、図５に示すＳ５と同様の理由により、「写真モード」に設定することはできないため、図３（ｄ）に示すように、「写真モード」に設定されている旨を示す「写真」がＬＣＤ７１に表示されることはない。換言すれば、特殊読取モードに設定されている場合には、特殊読取モードを維持したまま第１キーの設定操作による通常読取モードの選択のうち、「標準モード」、「高画質モード」、「超高画質モード」の選択を可能とし、「写真モード」の選択を不可としている。
【００４７】
その後、スタートキー６６が操作されると（Ｓ１２でＹＥＳ）、「新聞又は車検証モード」又は「鉛筆モード」と「標準モード」、「高画質モード」、「超高画質モード」のいずれかとの両方が設定された読取モードで読取部４０に特殊原稿を読み取らせる（Ｓ１３）。
【００４８】
以上、詳述したように第２実施形態によれば、次のような作用、効果を得ることができる。
（１）特殊読取モードに設定されている場合には、特殊読取モードを維持したまま第１キーの設定操作による通常読取モードの選択のうち、読取密度モードの選択を可能とし、通常原稿種類モードの選択を不可としている。即ち、小さな文字の特殊原稿をＦＡＸ送信する場合には、特殊読取モードと「高画質モード」又は「超高画質モード」との両方を設定することができる。従って、使用者の意志を確実に反映させることができる。
【００４９】
（２）上記（１）のように、小さな文字の特殊原稿をＦＡＸ送信する場合には、第２キーを操作して特殊読取モードを選択した後、第１キーを操作して「高画質モード」又は「超高画質モード」を選択すればよい。しかも、「新聞又は車検証モード」又は「鉛筆モード」と「写真モード」との両方が設定されることはない結果、相反する画像処理が施されることもない。従って、読取モードの設定の操作性を向上させることができる。
【００５０】
（第３実施形態）
次に、本発明の第３実施形態を説明する。尚、この第３実施形態が前記第１実施形態と主に異なるのは、特殊読取モードに設定されている場合に第１キーが操作されたときには、特殊読取モードから通常読取モードに切り替え、通常読取モードに設定されている場合に第２キーが操作されたときには、通常読取モードから特殊読取モードに切り替える点である。
【００５１】
即ち、色紙にカラー文字、写真又は淡い鉛筆書きの特殊原稿をモノクロでＦＡＸ送信する場合には、色紙と文字又は写真との組み合わせによっては、「新聞又は車検証モード」、「鉛筆モード」、「超高画質モード」のいずれの読取モードのときに、相手先で最も鮮明に記録紙に記録されるのか判断し難い。従って、かかる場合には、特殊原稿を「新聞又は車検証モード」、「鉛筆モード」、「超高画質モード」に相当する「文字モード」の各読取モードで試しコピーして、最も鮮明な画像が得られた読取モードでＦＡＸ送信する必要がある。そこで、このような場合を考慮して特殊読取モードから通常読取モードに容易に切り替えられるようにしている。また、写真原稿をＦＡＸ送信する場合に、誤って第２キーを操作したときのように、「新聞又は車検証モード」又は「鉛筆モード」から「写真モード」に切り替える場合も考慮している。
【００５２】
次に、複合機１において、特殊読取モードから通常読取モードに切り替える場合の動作について、図７に示すフローチャートを用いて説明する。
まず、特殊原稿を「新聞又は車検証モード」又は「鉛筆モード」で試しコピーした後、「文字モード」で試しコピーする場合の動作を説明する。
【００５３】
さて、Ｓ２１〜Ｓ２３では、図５に示すＳ１〜Ｓ３と同様の処理を実行する。即ち、特殊原稿を「新聞又は車検証モード」又は「鉛筆モード」で試しコピーする。
【００５４】
そして、特殊読取モードに設定されている場合に第１キーが操作されると（Ｓ２４でＹＥＳ）、特殊読取モードから通常読取モードに切り替える（Ｓ２５）。即ち、第１ＬＥＤ７２又は第２ＬＥＤ７３を消灯させるとともに、図４（ａ）に示すように、「文字モード」に設定されている旨を示す「文字」をＬＣＤ７１に表示させる。その後、スタートキー６６が操作されると（Ｓ２２でＹＥＳ）、「文字モード」で読取部４０に原稿を読み取らせる（Ｓ２３）。即ち、「文字モード」で試しコピーする。
【００５５】
次に、写真原稿をＦＡＸ送信する場合に、誤って第２キーを操作したときの動作について、図７に示すフローチャートを用いて説明する。
さて、ＦＡＸキー６１の操作によりＦＡＸモードに設定されると、図３（ａ）に示すように、「標準モード」に設定されている旨を示す「標準」をＬＣＤ７１に表示させる。そして、この状態から誤って第２キーが操作されると、対応する第１ＬＥＤ７２又は第２ＬＥＤ７３を点灯させる（Ｓ２１）。
【００５６】
その後、特殊読取モードに設定されている場合に第１キーが１回操作されると（Ｓ２４でＹＥＳ）、特殊読取モードから通常読取モードに切り替える（Ｓ２５）。即ち、第１ＬＥＤ７２又は第２ＬＥＤ７３を消灯させるとともに、図３（ａ）に示すように、「標準モード」に設定されている旨を示す「標準」をＬＣＤ７１に表示させる。そして、この状態から第１キーが１回操作される度に（Ｓ２４でＹＥＳ）、図３（ｂ）〜（ｄ）に示すように、各読取モードに設定されている旨を示す「高画質」、「超高画質」、「写真」を順次ＬＣＤ７１に表示させる（Ｓ２５）。このように写真原稿の読み取りに適した「写真モード」に設定された後、スタートキー６６が操作されると（Ｓ２２でＹＥＳ）、「写真モード」で読取部４０に原稿を読み取らせる（Ｓ２３）。
【００５７】
次に、複合機１において、通常読取モードから特殊読取モードに切り替える場合の動作について、図８に示すフローチャートを用いて説明する。
まず、ＦＡＸの送信原稿を読み取る場合の動作を説明する。
【００５８】
さて、ＦＡＸキー６１の操作によりＦＡＸモードに設定されると、図３（ａ）に示すように、「標準モード」に設定されている旨を示す「標準」をＬＣＤ７１に表示させる。この状態では、いずれの特殊読取モードにも設定されていないため、第１ＬＥＤ７２及び第２ＬＥＤ７３を消灯させる（Ｓ３１）。そして、この状態からスタートキー６６が操作されると（Ｓ３２でＹＥＳ）、「標準モード」で読取部４０に原稿を読み取らせる（Ｓ３３）。
【００５９】
一方、「標準モード」に設定されている場合に第１キーが操作されると（Ｓ３４でＹＥＳ）、通常読取モードを変更する（Ｓ３５）。具体的には、図３（ａ）に示すように、「標準モード」に設定されている旨を示す「標準」をＬＣＤ７１に表示させている状態から第１キーが１回操作される度に、図３（ｂ）〜（ｄ）に示すように、各読取モードに設定されている旨を示す「高画質」、「超高画質」、「写真」を順次ＬＣＤ７１に表示させる。その後、スタートキー６６が操作されると（Ｓ３２でＹＥＳ）、いずれかの通常読取モードで読取部４０に原稿を読み取らせる（Ｓ３３）。
【００６０】
他方、いずれかの通常読取モードに設定されている場合に第２キーが操作されると（Ｓ３６でＹＥＳ）、通常読取モードから特殊読取モードに切り替える（Ｓ３７）。即ち、第２キーに対応する第１ＬＥＤ７２又は第２ＬＥＤ７３を点灯させるとともに、図３（ａ）に示すように、「標準モード」に設定されている旨を示す「標準」をＬＣＤ７１に表示させる。換言すれば、強制的に「標準モード」と「新聞又は車検証モード」又は「鉛筆モード」との両方が設定された読取モードに移行する。その後、スタートキー６６が操作されると（Ｓ３２でＹＥＳ）、「標準モード」と「新聞又は車検証モード」又は「鉛筆モード」との両方が設定された読取モードで読取部４０に原稿を読み取らせる（Ｓ３３）。
【００６１】
ちなみに、通常読取モードから特殊読取モードに切り替えた後（Ｓ３７）、第１キーが操作されると（Ｓ３４でＹＥＳ）、特殊読取モードから通常読取モードに切り替える（図７に示すＳ２５と同様）。
【００６２】
次に、複合機１において、通常読取モードから特殊読取モードに切り替えてコピー原稿を読み取る場合の動作について、図８に示すフローチャートを用いて説明する。
【００６３】
さて、コピーキー６２の操作によりコピーモードに設定されると、図４（ａ）に示すように、「文字モード」に設定されている旨を示す「文字」をＬＣＤ７１に表示させる。この状態では、いずれの特殊読取モードにも設定されていないため、第１ＬＥＤ７２及び第２ＬＥＤ７３を消灯させる（Ｓ３１）。そして、この状態からスタートキー６６が操作されると（Ｓ３２でＹＥＳ）、「文字モード」で読取部４０に原稿を読み取らせる（Ｓ３３）。
【００６４】
一方、「文字モード」に設定されている場合に第１キーが操作されると（Ｓ３４でＹＥＳ）、通常読取モードを変更する（Ｓ３５）。具体的には、図４（ａ）に示すように、「文字モード」に設定されている旨を示す「文字」をＬＣＤ７１に表示させている状態から第１キーが１回操作される度に、図４（ｂ），（ｃ）に示すように、各読取モードに設定されている旨を示す「文字／写真」、「写真」を順次ＬＣＤ７１に表示させる。その後、スタートキー６６が操作されると（Ｓ３２でＹＥＳ）、いずれかの通常読取モードで読取部４０に原稿を読み取らせる（Ｓ３３）。
【００６５】
他方、いずれかの通常読取モードに設定されている場合に第２キーが操作されると（Ｓ３６でＹＥＳ）、通常読取モードから特殊読取モードに切り替える（Ｓ３７）。即ち、第２キーに対応する第１ＬＥＤ７２又は第２ＬＥＤ７３を点灯させるとともに、図４（ａ）に示すように、「文字モード」に設定されている旨を示す「文字」をＬＣＤ７１に表示させる。換言すれば、強制的に「文字モード」と「新聞又は車検証モード」又は「鉛筆モード」との両方が設定された読取モードに移行する。その後、スタートキー６６が操作されると（Ｓ３２でＹＥＳ）、「文字モード」と「新聞又は車検証モード」又は「鉛筆モード」との両方が設定された読取モードで読取部４０に原稿を読み取らせる（Ｓ３３）。
【００６６】
ちなみに、通常読取モードから特殊読取モードに切り替えた後（Ｓ３７）、第１キーが操作されると（Ｓ３４でＹＥＳ）、特殊読取モードから通常読取モードに切り替える（図７に示すＳ２５と同様）。
【００６７】
以上、詳述したように第３実施形態によれば、次のような作用、効果を得ることができる。
・特殊読取モードに設定されている場合に第１キーが操作されたときには、特殊読取モードから通常読取モードに切り替え、通常読取モードに設定されている場合に第２キーが操作されたときには、通常読取モードから特殊読取モードに切り替えている。このため、特殊原稿を「新聞又は車検証モード」又は「鉛筆モード」で試しコピーした後、「文字モード」で試しコピーする場合や写真原稿をＦＡＸ送信する場合に、誤って第２キーを操作したときには、特殊読取モードに設定されている状態から第１キーを操作すればよい。一方、特殊読取モードに設定する場合には、通常読取モードに設定されている状態から第２キーを操作すればよい。しかも、「新聞又は車検証モード」又は「鉛筆モード」と「写真モード」との両方が設定されることはない。従って、特殊読取モードから通常読取モードに、また通常読取モードから特殊読取モードに容易に切り替えられるため、読取モードの設定の操作性を向上させることができる。
【００６８】
尚、前記各実施形態は、次のように変更して具体化することも可能である。
・ＦＡＸモードにおいて「写真モード」に設定されている場合に第２キーが操作されたときには、「写真モード」と「新聞又は車検証モード」又は「鉛筆モード」との両方は設定することができない旨のメッセージをＬＣＤ７１に表示させる構成としてもよい。尚、コピーモードにおいても同様に、「文字又は写真モード」又は「写真モード」と「新聞又は車検証モード」又は「鉛筆モード」との両方は設定することができない旨のメッセージをＬＣＤ７１に表示させる。また、上記メッセージをＬＣＤ７１に表示させる構成に代えて又は加えて鳴動部１２０から音で報知する構成としてもよい。このように構成すれば、相反する画像処理が施されるパターンを使用者に認識させることができる。従って、相反する画像処理が施されることを確実に防止することができる。
【００６９】
・ＦＡＸモードにおいて「高画質モード」又は「超高画質モード」に設定されている場合に第２キーが操作されたときには、「高画質モード」又は「超高画質モード」と特殊読取モードとの両方が設定されている旨のメッセージをＬＣＤ７１に表示させる構成としてもよい。即ち、「高画質モード」又は「超高画質モード」に設定されているため、通信料金が高くなるので、「標準モード」への設定を促す旨のメッセージをＬＣＤ７１に表示させる構成としてもよい。また、上記メッセージをＬＣＤ７１に表示させる構成に代えて又は加えて鳴動部１２０から音で報知する構成としてもよい。このように構成すれば、「高画質モード」又は「超高画質モード」での読取動作が終了後、リセットキーを操作せずに複合機１から離れると、次の使用者が前の設定のまま読取動作を行って通信料金が高くなるため、読取動作が終了後、リセットキーを操作する必要が有る旨を各使用者に認識させることができる。従って、通信料金を安くすることができる。
【００７０】
・新聞／車検証キー６８及び鉛筆キー６９に代えて、「新聞／車検証モード」及び「鉛筆モード」の特殊読取モードに設定する１つの特殊読取キーを設け、第１ＬＥＤ７２及び第２ＬＥＤ７３に代えて、特殊読取キーに対応する１つのＬＥＤを設けた構成としてもよい。この場合、特殊読取キーが１回操作される度に、「新聞／車検証モード」、「鉛筆モード」に設定する。即ち、「新聞／車検証モード」又は「鉛筆モード」に設定されている場合にはＬＥＤを点灯させ、「新聞／車検証モード」又は「鉛筆モード」に設定されていない場合にはＬＥＤを消灯させる。
【００７１】
さらに、上記各実施形態より把握される技術的思想について、以下にそれらの効果と共に記載する。
〔１〕請求項１に記載の画像読取装置において、通常設定手段は、ＦＡＸモードにおいて標準モード、高画質モード、超高画質モード、写真モードの中から所定の読取モードに設定するものであり、制御手段は、高画質モード、超高画質モード、写真モードのいずれかに設定されている場合に特殊設定手段が操作されたときには、強制的に標準モードと特殊読取モードとの両方が設定された読取モードに移行する画像読取装置。このように構成すれば、読取時間が短く、画データ量も少なくなる結果、通信料金を安くすることができる。また、相反する画像処理が施されないため、特殊原稿に応じた良好な画データを得ることができる。
【００７２】
〔２〕請求項１に記載の画像読取装置において、メッセージを報知する報知手段を備え、制御手段は、写真モードに設定されている場合に特殊設定手段が操作されたときには、写真モードと特殊読取モードとの両方は設定することができない旨のメッセージを報知手段に報知させる画像読取装置。このように構成すれば、相反する画像処理が施されることを確実に防止することができる。
【００７３】
【発明の効果】
本発明は、以上のように構成されているため、次のような効果を奏する。
請求項１に記載の発明によれば、誤操作による不具合を防止することができる。
【００７４】
請求項２に記載の発明によれば、使用者の意志を確実に反映させることができる。
請求項３に記載の発明によれば、読取モードの設定の操作性を向上させることができる。
【図面の簡単な説明】
【図１】複合機の構成を示すブロック図。
【図２】操作部及び表示部を示す説明図。
【図３】（ａ）〜（ｄ）ＦＡＸモードの通常読取モードを示す説明図。
【図４】（ａ）〜（ｃ）コピーモードの通常読取モードを示す説明図。
【図５】第１実施形態における特殊読取モードでの読取動作を示すフローチャート。
【図６】第２実施形態における特殊読取モードでの読取動作を示すフローチャート。
【図７】第３実施形態における通常読取モードへの切替動作を示すフローチャート。
【図８】第３実施形態における特殊読取モードへの切替動作を示すフローチャート。
【符号の説明】
１…画像読取装置としての複合機、１０…制御手段を構成するＭＰＵ、２０…制御手段を構成するＲＯＭ、３０…制御手段を構成するＲＡＭ、６７…通常設定手段としてのソフトキー、６８…特殊設定手段としての新聞／車検証キー、６９…特殊設定手段としての鉛筆キー、７１…報知手段としてのＬＣＤ、１２０…報知手段としての鳴動部。
【図１】
0003698120.tif 000002
【図２】
0003698120.tif 000003
【図３】
0003698120.tif 000004
【図４】
0003698120.tif 000005
【図５】
0003698120.tif 000006
【図６】
0003698120.tif 000007
【図７】
0003698120.tif 000008
【図８】
0003698120.tif 000009